(57)【要約】【課題】情報端末のユーザにプリントジョブの印刷をするプリンタを選択させる、改良された方法を提供する。【解決手段】ネットワーク上のプリンタをサーチし、前記プリンタからプリンタ特性情報を取得するために前記ネットワーク上の前記プリンタと通信するように構成されたプリンタ情報取得部と、前記プリンタの１つのユーザによる選択のために、前記プリンタから取得した前記プリンタ特性情報を単一ビューに提示するように構成されたユーザインターフェイスとを有する、プリンタドライバを提供する。【選択図】図３Ａ
2007280390.tif 000002
【特許請求の範囲】
【請求項１】
プリンタドライバであって、
ネットワーク上のプリンタをサーチし、前記プリンタからプリンタ特性情報を取得するために前記ネットワーク上の前記プリンタと通信するように構成されたプリンタ情報取得部と、
前記プリンタの１つのユーザによる選択のために、前記プリンタから取得した前記プリンタ特性情報を単一ビューに提示するように構成されたユーザインターフェイスとを有する、プリンタドライバ。
【請求項２】
ユーザインターフェイスは、さらに、前記単一ビューに表示されるべき情報の設定をするための設定ビューを含む、請求項１に記載のプリンタドライバ。
【請求項３】
ユーザがプリンタ特性を指定し、指定したプリンタ特性を有するプリンタをサーチするサーチツールをさらに有する、請求項１に記載のプリンタドライバ。
【請求項４】
前記プリンタ情報取得部によるサーチは前記ネットワーク上の指定されたサーチ範囲に制限される、請求項１に記載のプリンタドライバ。
【請求項５】
ユーザインターフェイスは、さらに、サーチ範囲の自動設定の選択、及びサーチ範囲の手作業による指定のうち一方のための詳細設定ビューを含む、請求項４に記載のプリンタドライバ。
【請求項６】
ユーザインターフェイスは、さらに、前記プリンタ情報取得部により実行されるサーチのコミュニティ名を指定する詳細設定ビューを含む、請求項１に記載のプリンタドライバ。
【請求項７】
ユーザインターフェイスは、さらに、前記プリンタ情報取得部による前記サーチのパラメータを指定する設定ビューを含む、請求項１に記載のプリンタドライバ。
【請求項８】
指定されたパラメータは設定として格納される、請求項７に記載のプリンタドライバ。
【請求項９】
複数の設定が格納され、前記複数の設定の１つを選択することにより新しいサーチのパラメータが指定される、請求項８に記載のプリンタドライバ。
【請求項１０】
複数の設定が格納され、位置情報に基づいて前記複数の設定の１つを自動的に選択することにより新しいサーチのパラメータが指定される、請求項８に記載のプリンタドライバ。
【請求項１１】
プリントジョブを印刷するためのプリンタのユーザ選択のために構成された情報端末であって、
ネットワーク上のプリンタをサーチし、前記プリンタからプリンタ特性情報を取得するために前記ネットワーク上の前記プリンタと通信するように構成されたプリンタ情報取得部と、
前記プリンタの１つのユーザによる選択のために、前記プリンタから取得した前記プリンタ特性情報を単一ビューに提示するように構成されたユーザインターフェイスとを有する、ユーザ端末。
【請求項１２】
プリントジョブを印刷するプリンタをユーザに選択させる、ネットワークを介して情報端末に提供される印刷アプリケーションであって、
ネットワーク上のプリンタをサーチし、前記プリンタからプリンタ特性情報を取得するために前記ネットワーク上の前記プリンタと通信するように構成されたプリンタ情報取得部と、
前記プリンタの１つのユーザによる選択のために、前記プリンタから取得した前記プリンタ特性情報を単一ビューに提示するように構成されたユーザインターフェイスとを有する、印刷アプリケーション。
【請求項１３】
複数のプリンタと、
１つ以上の情報端末とを有する印刷システムであって、
各情報端末はネットワークを介してジョブを印刷する複数のプリンタの１つをユーザが選択するように構成され、
各情報端末は：
ネットワーク上のプリンタをサーチし、前記プリンタからプリンタ特性情報を取得するために前記ネットワーク上の前記プリンタと通信するように構成されたプリンタ情報取得部と、
前記プリンタの１つのユーザによる選択のために、前記プリンタから取得した前記プリンタ特性情報を単一ビューに提示するように構成されたユーザインターフェイスとを有する、印刷システム。
【請求項１４】
ネットワークを介する印刷方法であって、
前記ネットワーク上のプリンタをサーチして、前記プリンタからプリンタ特性情報を取得するために前記プリンタと通信する段階と、
前記プリンタから取得した前記プリンタ特性情報をユーザインターフェイスの単一ビューに表示する段階と、
前記ユーザインターフェイスの前記単一ビューを介してユーザに前記プリンタの１つを選択させる段階と、
前記ユーザインターフェイスの前記単一ビューを介して選択された前記プリンタの１つにプリントジョブを送信する段階とを有する、印刷方法。
【請求項１５】
前記単一ビューの設定をさせる設定ビューをユーザインターフェイスを介して表示する段階をさらに有する、請求項１４に記載の方法。
【請求項１６】
ユーザが所望のプリンタ特性を指定するサーチビューを提供する段階と、
指定されたプリンタ特性を有するプリンタをサーチする段階とを有する、請求項１４に記載の方法。
【請求項１７】
前記ネットワーク上のプリンタのサーチを前記ネットワーク上の指定されたサーチ範囲に限定する段階をさらに有する、請求項１４に記載の方法。
【請求項１８】
前記ネットワーク上のプリンタをサーチするコミュニティ名を指定する詳細設定ビューをユーザインターフェイスを介して提供する段階をさらに有する、請求項１４に記載の方法。
【請求項１９】
前記ネットワーク上のプリンタのサーチのパラメータを指定する設定ビューをユーザインターフェイスを介して提供する段階と、
指定されたパラメータを設定として格納する段階とを有する、請求項１４に記載の方法。
【請求項２０】
複数の設定を格納する段階と、
前記複数の設定の１つを選択することにより新しいサーチのパラメータを指定する段階とをさらに有する、請求項１９に記載の方法。
【請求項２１】
複数の設定を格納する段階と、
位置情報に基づき前記複数の設定の１つを自動的に選択することにより新しいサーチのパラメータを指定する段階とをさらに有する、請求項１９に記載の方法。
【発明の詳細な説明】
【技術分野】
【０００１】
本発明はプリンタドライバに関する。特に、本発明は、ユーザがネットワーク上の任意の様々な印刷装置にアクセスできる改良されたプリンタドライバに関する。
【背景技術】
【０００２】
現在の情報化時代には、ペーパーレス社会の実現が議論されることが多い。しかし、そのような議論にもかかわらず、コンピュータや情報端末を使用しているユーザは印刷機能を必要としている。それゆえ、家庭でも会社でも、プリンタ、コピー機、複合機等の印刷機能を有する装置は、情報技術における重要な役割を果たし続けている。
【０００３】
コンピュータや情報端末は、一般的に、印刷装置と通信するために、プリンタドライバソフトウェアを必要とする。プリンタドライバは、一般的に、コンピュータまたは情報端末上で動作しているオペレーティングシステムとソフトウェアアプリケーションに印刷装置との機能とインターフェイスさせるソフトウェアインターフェイスを提供する。例えば、プリンタドライバソフトウェアは、コンピュータのオペレーティングシステムからの標準コマンドをその印刷装置固有の機能とマッチさせる。
【０００４】
プリンタドライバソフトウェアは、一般的には、周辺装置とともに梱包されたフロッピー（登録商標）ディスクまたはその他のポータブル記憶媒体に格納され、その周辺装置と通信するコンピュータや情報端末にインストールされる。コンピュータの設定（configuration）が異なればプリンタドライバも異なることもある（例えば、オペレーティングシステムのバージョンが異なれば、異なるドライバが必要となる）。また、多くの印刷装置の場合、異なる機能セットをサポートするには異なるドライバが必要である。プリンタは、例えば、一組の言語をサポートする１つのドライバを有し、他の言語をサポートするには他のドライバが必要となる。同様に、ユーザが特殊な数学文字セットの利用を欲する場合、特定のドライバが必要である。
【０００５】
印刷装置は交換されたり更新されたりするので、ユーザが利用できうる印刷装置と機能の組は時間的に変化する。また、現在のトレンドとして、周辺装置にアクセスできる多くのコンピュータやその他の情報端末がモバイルとなりつつある。それゆえ、ユーザが利用可能な印刷装置の数と機能は、その時にユーザが使用するコンピュータや情報端末の位置に応じて変化し得る。例えば、コンピュータや情報端末がネットワークに接続されているとき、ユーザはネットワークに接続されている任意の様々な印刷装置に（その装置へのアクセス権があると仮定して）アクセスできる。
【発明の開示】
【発明が解決しようとする課題】
【０００６】
しかし、従来のＩＴシステムは、ユーザが適当なプリンタまたは所望のプリンタを見つけるユーザフレンドリーなシステムを提供していない。例えば、図６に示したように、ユーザが印刷機能を呼ぶと、従来システムのユーザインターフェイスはプリンタ名のリストは表示するが、プリンタの特性情報は表示しない。ユーザがそのリストからプリンタの１つを選択すると、少しはプリンタ特性情報が表示されるが、表示される特性は単一の選択されたプリンタのものだけである。ユーザが選択したプリンタのプリンタ特性を他の利用可能なプリンタのプリンタ特性と比較することは容易ではない。
【課題を解決するための手段】
【０００７】
この開示は、情報端末のユーザにプリントジョブの印刷をするプリンタを選択させる、改良された方法を提供する。かかる方法はコンピュータソフトウェア（例えば、プリンタドライバまたは印刷アプリケーション）で実施してもよい。かかるソフトウェアで構成された情報端末は、プリンタ情報取得部とユーザインターフェイスとを含む。プリンタ情報取得部は、ネットワーク上のプリンタをサーチし、ネットワーク上のプリンタと通信して、そのプリンタからプリンタ特性情報を取得する。ユーザインターフェイスは、プリンタから取得したプリンタ特性情報を、ユーザ選択のために、単一ビューで表示する。
【０００８】
同様の機能を有する、ネットワークを介した印刷システム及び印刷方法も提供される。
【０００９】
本出願の特徴は、添付した図面を参照して以下の詳細な説明を読めば、容易に理解できるであろう。
【発明を実施するための最良の形態】
【００１０】
図面に示した好ましい実施形態または実施例を説明するにあたり、説明を明確にするために具体的な用語を用いた。しかし、本特許明細書の開示はここで用いた具体的な用語に限定することを意図したものではなく、それぞれの具体的な要素は同様に動作するすべての等価物を含むものと理解すべきである。
【００１１】
図１は、情報端末がネットワーク接続を介して印刷装置と相互接続されている印刷システムの一例を示す図である。図１の例は、企業（例えば、株式会社その他の商事会社、政府機関等の組織、その他の公的または私的組織）のＩＴ環境の例に相当する。
【００１２】
図１の企業は、オフィスＡとオフィスＢを含む複数のオフィスを有する。オフィスＡとＢのＩＴ構成要素は、サブネットワーク１５Ａと１５Ｂで相互接続されている。サブネットワーク１５Ａは、サブネットワーク１５Ｃを介してサブネットワーク１５Ｂと接続されている。サブネットワーク１５Ａ乃至１５Ｃの各々は、有線または無線ネットワークの一方またはその組み合わせを含んでいてもよい。サブネットワーク１５Ａ乃至１５Ｃ（及び場合によってその他のサブネット）は、併せて１つの企業ネットワーク（図１では参照符号は付していない）を構成している。
【００１３】
オフィスＡは、フロアＡ１とフロアＡ２を含む複数のフロアを含む（さらに多くのフロアを含んでもよい）。フロアＡ１において、情報端末１１Ａ、プリンタ１２Ａ、コピー機１３Ａ、複合機１４Ａはネットワーク１５Ａを介して相互接続されている。同様に、フロアＡ２において、情報端末１１Ｂ、プリンタ１２Ｂ、コピー機１３Ｂ、複合機１４Ｂはネットワーク１５Ａを介して相互接続されている。情報端末１１Ａは、フロアＡ２の印刷装置（例えば、プリンタ１２Ｂ、コピー機１３Ｂ、複合機１４Ｂ等）、及びフロアＡ１の印刷装置（例えば、プリンタ１２Ａ、コピー機１３Ａ、複合機１４Ａ等）にアクセスできる。同様に、情報端末１１Ｂは、フロアＡ１の印刷装置（例えば、プリンタ１２Ａ、コピー機１３Ａ、複合機１４Ａ等）、及びフロアＡ２の印刷装置（例えば、プリンタ１２Ｂ、コピー機１３Ｂ、複合機１４Ｂ等）にアクセスできる。
【００１４】
オフィスＢでは、情報端末１１Ｃ、プリンタ１２Ｃ、コピー機１３Ｃ、及び複合機１４Ｃはネットワーク１５Ｃを介して相互接続されている。言うまでもなく、図１では、オフィスＢは、情報端末１１Ｃ、プリンタ１２Ｃ、コピー機１３Ｃ、複合機１４Ｃを示したが、より多くの情報端末と印刷装置を含んでいてもよい。同様に、オフィスＡは、図１に示したもの以外に、より多くの端末と印刷装置を含み得る。実際、本開示の印刷システムは好ましくはスケーラブルに構成され、所望及び必要に応じて端末を本システムに追加でき、その印刷ジョブを実行することができる。
【００１５】
ここで「プリンタ」とは、特許請求の範囲も含めて、印刷機能または描画機能を有する任意の出力装置を含むものとして使用し、印刷または描画機能に加えてコピー及び／またはスキャン機能を有する複合機（multi-function devices）も含む。
【００１６】
また、「情報端末」とは、オンデマンドで印刷するニーズを有する任意の様々な従来装置を言い、パーソナルコンピュータ、ラップトップまたはノートブックコンピュータ、ワークステーション、その他のタイプのコンピュータ、ＰＤＡ、その他の情報機器等を含む。
【００１７】
情報端末の構成例を図２に示した。情報端末２０は、ＣＰＵ２１、メモリ２２、ハードディスク（及びコントローラ）２３、（有線または無線ネットワークを介して通信するための）ネットワーク通信コントローラ２５、ディスプレイ（及びコントローラ）２６、１つ以上の入力装置（及びコントローラ）２７、Ｉ／Ｏコントローラ及び任意的なリムーバブルメディアドライブ（及びコントローラ）２４を含み、これらはすべてシステムバス２９を介して接続されている。
【００１８】
企業ネットワークに接続されている各情報端末は、好ましくは、端末ユーザに企業ネットワークに接続されたプリンタのリストのプリンタ特性情報を見せるソフトウェアで構成されていてもよい。例えば（図３Ａ乃至３Ｃ）、情報端末はソフトウェアを介して設定され、装置３０は、プリンタ情報取得部３１とユーザインターフェイス３２を有する。かかるソフトウェアは、例えば、ネットワーク接続やリムーバブルメディア（例えば、フレキシブルディスク、光ディスク、その他のメディア等）を介して情報端末にダウンロードされたプリンタドライバや印刷アプリケーションである。
【００１９】
プリンタ情報取得部３２は、ネットワーク上のプリンタをサーチし、ネットワーク上のプリンタと通信して、そのプリンタからプリンタ特性情報を取得する。例えば、多数のプリンタは、管理情報ベース（ＭＩＢ、Management Information Base）内に属性やプリンタ特性情報等のプリンタデータを格納している。ＭＩＢはＳＮＭＰ（Simple Network Management Protocol）プロトコルに対応し、プリンタ特性情報をＳＮＭＰクエリによりＭＩＢから取得することができる。他の例として、ネットワーク上のプリンタは、ネットワークを介してＳＮＭＰメッセージをブロードキャストして、プリンタ装置からの応答を待つことにより発見できる。
【００２０】
プリンタ情報取得部３２により取得されたプリンタ情報は、他のプリンタデータ３３とともに、情報端末に格納される（図１Ａ）。あるいは、プリンタデータは情報端末の外部に格納されてもよいし、必要に応じて（例えばネットワークを介して）読み出してもよい（図３Ｂ、３Ｃ）。
【００２１】
好ましくは、格納されたプリンタデータを編集するユーザインターフェイスウィンドウが設けられる。図４Ｄは、プリンタデータをエントリーのテーブルとして示した、スクロール可能なウィンドウの実施例である。ユーザは、図４Ｄの情報を、エントリーのアクティブ化や非アクティブ化を含めて、編集することができる。サーチを実行すべきとき、そのサーチを実行する前に、格納されたプリンタデータのエントリーを調べることができる。また、ユーザは手作業でエントリーを入力することもできる。サーチによりエントリーが更新され、またはエントリーに追加情報が入る。
【００２２】
ユーザインターフェイス３２は、プリンタから取得したプリンタ特性情報を含むプリンタデータを、ユーザ選択のために、単一ビュー（single view）で表示する。ユーザインターフェイスが表示するプリンタデータには、いかなるプリンタ特性情報も含むことができ、ユーザがプリントジョブのために選択するプリンタを決定するのに有用である。ユーザインターフェイスにより表示できるプリンタ特性情報には、例えば（図４Ｂ）、プリンタの製品名、カラー印刷、両面印刷、プリンタの場所（例えば、国、都市、ビル、フロア、オフィス名）等が含まれ得る。その他のプリンタ特性情報、例えば、印刷スピード（例えば、毎分１６ページ等）、用紙サイズ（例えば、レター／リーガル／１１×１７）、（例えば、いくつかの企業がＩＴ資産を識別するために使用している）資産番号等も表示することができる。ここで、「プリンタ特性情報」とは、添付した特許請求の範囲も含めて、上記のすべてのプリンタ特性情報、及びプリンタのプリンタ名を構成しないその他のプリンタ特性情報を言う。
【００２３】
ユーザインターフェイスは、さらに、表示すべき情報の設定をするための設定ビュー（configuration view）を含んでもよい。
【００２４】
ユーザインターフェイス３２は、ユーザがネットワーク上のプリンタのサーチを要求するウィンドウまたはパネルを含み得る（例えば、図４Ａのサーチボタン）。かかるユーザインターフェイスウィンドウにより、ユーザは、所望のプリンタ特性（例えば、プリンタの場所）を指定し、指定したプリンタ特性を有するプリンタのサーチを要求できる。
【００２５】
そのユーザインターフェイスにより、ユーザは、そのサーチをネットワーク上の特定のサーチ範囲に限定できる（例えば、図４Ｃを参照）。例えば、そのユーザインターフェイスにより、１５１．１１４．９４．１-１５１．１１４．９４．２５５等のネットワークアドレス（例えば、ＩＰアドレス）範囲を手作業で指定することができる。手作業で指定した範囲を保存して、次のサーチでデフォルトとして使用することもできる。他の実施例では、サーチ範囲はローカルサブネット等に自動的に設定される。そのユーザインターフェイスにより、ユーザは、サーチ範囲の設定を、手作業による設定、自動設定、またはデフォルト設定（例えば、図４Ｃのデフォルトボタン）から選択することができる。例えば、ユーザは、通常（すなわち、自分のオフィスにいる時）、デフォルト設定を使用し、他のオフィスにいるときには自動設定を選択できる。図４Ｃは、サーチ範囲の自動設定またはサーチ範囲の手作業による指定を選択する詳細設定ビュー（advanced settings view）を示すユーザインターフェイスウィンドウの例である。
【００２６】
また、サーチはコミュニティ名によっても限定できる。ユーザは、コミュニティ名を指定して、アクセスが制限されているプリンタにアクセスすることができる（例えば、一部のカラープリンタや高スループットプリンタへのアクセスは、そのプリンタのパスワードを知っている人に制限することができる）。図４Ｃは、サーチするコミュニティ名を指定できる詳細設定ビューを示すユーザインターフェイスウィンドウの例である。
【００２７】
このように、ユーザインターフェイスは、サーチのパラメータを指定する１つ以上の設定ビュー（configuration view）を含み、指定されたパラメータは設定として格納できる。好ましくは、複数の設定が格納でき、新しいサーチを実行する前にその設定の１つを選択できる。例えば、１つの設定は、場所によるサーチ、範囲の自動設定、デフォルトＳＮＭＰ設定である。他の設定は、場所とカラー印刷、範囲の手作業による指定、及び特殊なＳＮＭＰ設定によるサーチである。設定の選択は手作業でも自動（例えば、場所またはネットワーク情報によるもの、ユーザ情報によるもの等）でもよい。
【００２８】
情報端末は（例えば、ＧＰＳカードを用いて）自分の位置を探知（track）して、かかる位置情報を提供することができる。あるいは、位置情報を、ルータの位置、ワイヤレスネットワークその他のワイヤレス技術（例えば、ＲＦＩＤ）により提供される位置から外挿することもできる。端末の位置情報を使用してサーチを設定したり、格納された設定を選択することができる。
【００２９】
本開示の一実施例（図５）による、ネットワークを介した印刷方法を以下に説明する。
この方法では、ネットワーク上のプリンタをサーチして、複数のプリンタと通信してそのプリンタのプリンタ特性情報を取得する（ステップＳ５１）。プリンタ特性情報を収集した後、複数のプリンタのプリンタ特性情報をユーザインターフェイスの単一のビューに表示する（ステップＳ５３）。従来のプリンタ選択ユーザインターフェイスでは、ユーザはプリンタを選択するに際し、複数のプリンタのプリンタ特性を見て比較することができない点とは異なる。ユーザは、ユーザインターフェイスの単一ビュー（single view）を介してプリンタの１つを選択することができ（ステップＳ５５）、そのユーザインターフェイスの単一ビューを介して選択されたプリンタにプリントジョブを送信することができる（ステップＳ５７）。かかる方法により、ユーザは、使用できるプリンタの選択肢を包括的に見ることができる。
【００３０】
本方法の有用性を向上するために、付加的なユーザインターフェイス機能を設けることもできる。本方法は、好ましくは、ユーザが所望のプリンタ特性を指定するサーチビュー（search view）を設け、指定されたプリンタ特性を有するプリンタをサーチすることをさらに含む。また、本方法は以下の機能の１つ以上をさらに含んでもよい：前記ネットワーク上のプリンタをサーチするパラメータを指定し、指定されたパラメータを設定として格納する設定ビューをユーザインターフェイスを介して提供する段階；単一ビューの設定をさせる設定ビューをユーザインターフェイスを介して表示する段階；複数の設定を格納し、その複数の設定の１つを選択して新しいサーチのパラメータを指定する段階；位置情報に基づき前記複数の設定の１つを自動的に選択して新しいサーチのパラメータを指定する段階；前記ネットワーク上のプリンタのサーチを前記ネットワーク上の指定されたサーチ範囲に限定する段階；及び前記ネットワーク上のプリンタのサーチに対してコミュニティ名を指定する詳細設定ビューをユーザインターフェイスを介して提供する段階。
【００３１】
上記の具体的な実施形態と例は例示であり、本開示の精神または添付した請求項の範囲から逸脱することなくこれらの実施形態と例を様々に変形することが可能である。例えば、異なる例及び実施形態の要素及び／または特徴を互いに組み合わせてもよいし、及び／または本開示と添付した請求項の範囲内で互いに置き換えてもよい。
【図面の簡単な説明】
【００３２】
【図１】本開示より構成し得る印刷システムを示す概略図である。
【図２】情報端末を示すブロック図である。
【図３Ａ】本開示の実施例による、情報端末で実施できるソフトウェア構成装置を示すブロック図である。
【図３Ｂ】本開示の実施例による、情報端末で実施できるソフトウェア構成装置を示すブロック図である。
【図３Ｃ】本開示の実施例による、情報端末で実施できるソフトウェア構成装置を示すブロック図である。
【図４Ａ】本開示の実施例による、ユーザインターフェイスウィンドウを示す図である。
【図４Ｂ】本開示の実施例による、ユーザインターフェイスウィンドウを示す図である。
【図４Ｃ】本開示の実施例による、ユーザインターフェイスウィンドウを示す図である。
【図４Ｄ】本開示の実施例による、ユーザインターフェイスウィンドウを示す図である。
【図４Ｅ】本開示の実施例による、ユーザインターフェイスウィンドウを示す図である。
【図５】は、本発明の一例による、ネットワークを介して印刷するワークフローを示すフローチャートである。
【図６】印刷ジョブを印刷するプリンタを選択する従来のユーザインターフェイスウィンドウを示す図である。
【符号の説明】
【００３３】
１１Ａ、１１Ｂ、１１Ｃ  情報端末
１２Ａ、１２Ｂ、１２Ｃ  プリンタ
１３Ａ、１３Ｂ、１３Ｃ  コピー機
１４Ａ、１４Ｂ、１４Ｃ  複合機
２１  ＣＰＵ
２２  メモリ
２３  ハードディスク／コントローラ
２４  リムーバブルメディアドライブ
２５  ネットワーク通信コントローラ
２６  ディスプレイ／コントローラ
２７  入力装置／コントローラ
２８  Ｉ／Ｏコントローラ
２９  システムバス
３１  プリンタ情報取得部
３２  ユーザインターフェイス
３３  プリンタデータ
【図１】
2007280390.tif 000003
【図２】
2007280390.tif 000004
【図３Ａ】
2007280390.tif 000005
【図３Ｂ】
2007280390.tif 000006
【図３Ｃ】
2007280390.tif 000007
【図４Ａ】
2007280390.tif 000008
【図４Ｂ】
2007280390.tif 000009
【図４Ｃ】
2007280390.tif 000010
【図４Ｄ】
2007280390.tif 000011
【図４Ｅ】
2007280390.tif 000012
【図５】
2007280390.tif 000013
【図６】
2007280390.tif 000014